(57)【要約】【課題】  方向付き記録紙にステープル処理等を施す場合のミスプリント防止を目的とする。【解決手段】  ステープル位置、原稿ＧＫのセット方向及び記録紙ＣＰのセット方向を設定する操作部７０と、設定された原稿ＧＫのセット方向とステープル位置とに基づき原稿ＧＫの画像データを回転させる画像回転手段２ａと、記録紙ＣＰのセット方向とステープル位置との組み合わせのうち、許容される組み合わせを記憶した不揮発性メモリ６３と、設定されたステープル位置と記録紙ＣＰのセット方向との組み合わせが、許容される組み合わせに該当するか判断する判断手段６１Ｂと、許容される組み合わせに該当しないと判断されたときに記録紙ＣＰへの画像形成を禁止するプリント禁止手段６１Ｃと、記録紙ＣＰのセット方向を変更するよう促すメッセージをＬＣＤ７１に表示させる報知処理制御手段６１Ｄとを備える。【選択図】      図３
2006174064.tif 000002
【特許請求の範囲】
【請求項１】
原稿を読み取る画像読取手段と、所定の原稿セット位置における原稿のセット方向を設定する原稿セット方向設定手段と、記録紙を格納する格納手段と、前記格納手段から供給される記録紙上に前記読み取られた原稿の画像を形成する画像形成手段と、前記画像が形成された記録紙に対してステープルを施す位置を設定するステープル位置設定手段と、前記ステープル位置設定手段により設定された位置にステープルを施す後処理手段と、前記原稿セット方向設定手段により設定された前記原稿のセット方向と、前記ステープル位置設定手段により設定されたステープル位置とに基づいて、前記画像読取手段により読み取られた原稿の画像データを回転させる画像回転手段とを有し、前記画像形成手段は、前記回転された前記画像データに基づいて前記記録紙上に画像を形成する画像形成装置であって、
前記格納手段における記録紙のセット方向と前記後処理手段によるステープル位置との組み合わせのうち、許容される組み合わせをあらかじめ記憶した記憶手段と、
前記格納手段における記録紙のセット方向を設定する記録紙セット方向設定手段と、
前記ステープル位置設定手段により設定されたステープル位置と、前記記録紙セット方向設定手段により設定された記録紙セット方向との組み合わせが、前記記憶手段に記憶された前記許容される組み合わせに該当するか否かを判断する判断手段と、
前記判断手段により前記許容される組み合わせに該当しないと判断されたときに、前記画像形成手段による画像の形成処理を禁止する禁止手段と、
を備えることを特徴とする画像形成装置。
【請求項２】
原稿を読み取る画像読取手段と、所定の原稿セット位置における原稿のセット方向を設定する原稿セット方向設定手段と、記録紙を格納する格納手段と、前記格納手段から供給される記録紙上に前記読み取られた原稿の画像を形成する画像形成手段と、前記画像が形成された記録紙に対して穿孔を施す位置を設定する穿孔位置設定手段と、前記穿孔位置設定手段により設定された位置に穿孔を施す後処理手段と、前記原稿セット方向設定手段により設定された前記原稿のセット方向と、前記穿孔位置設定手段により設定された穿孔位置とに基づいて、前記画像読取手段により読み取られた原稿の画像データを回転させる画像回転手段とを有し、前記画像形成手段は、前記回転された前記画像データに基づいて前記記録紙上に画像を形成する画像形成装置であって、
前記格納手段における記録紙のセット方向と前記後処理手段による穿孔位置との組み合わせのうち、許容される組み合わせをあらかじめ記憶した記憶手段と、
前記格納手段における記録紙のセット方向を設定する記録紙セット方向設定手段と、
前記穿孔位置設定手段により設定された穿孔位置と、前記記録紙セット方向設定手段により設定された記録紙セット方向との組み合わせが、前記記憶手段に記憶された前記許容される組み合わせに該当するか否かを判断する判断手段と、
前記判断手段により前記許容される組み合わせに該当しないと判断されたときに、前記画像形成手段による画像の形成処理を禁止する禁止手段と、
を備えることを特徴とする画像形成装置。
【請求項３】
前記判断手段により前記許容される組み合わせに該当しないと判断されたときに報知を行う報知手段を備えることを特徴とする請求項１又は請求項２に記載の画像形成装置。
【請求項４】
前記報知手段は、前記判断手段により前記許容される組み合わせに該当しないと判断されたときに、記録紙を前記格納手段にセットする方向を変更するように促すメッセージを表示する表示手段を含むことを特徴とする請求項３に記載の画像形成装置。
【請求項５】
原稿を読み取る画像読取手段と、所定の原稿セット位置における原稿のセット方向を設定する原稿セット方向設定手段と、記録紙を格納する格納手段と、前記格納手段から供給される記録紙上に前記読み取られた原稿の画像を形成する画像形成手段と、前記画像が形成された記録紙に対してステープルを施す位置を設定するステープル位置設定手段と、前記ステープル位置設定手段により設定された位置にステープルを施す後処理手段と、前記原稿セット方向設定手段により設定された前記原稿のセット方向と、前記ステープル位置設定手段により設定されたステープル位置とに基づいて、前記画像読取手段により読み取られた原稿の画像データを回転させる画像回転手段とを有し、前記画像形成手段は、前記回転された前記画像データに基づいて前記記録紙上に画像を形成する画像形成装置であって、
前記後処理手段によるステープル位置に応じた、前記格納手段における記録紙のセット方向をあらかじめ記憶したセット方向記憶手段と、
前記ステープル位置設定手段により設定された前記ステープル位置に対応する、前記記憶された前記記録紙のセット方向を指示する指示手段と、
を備えることを特徴とする画像形成装置。
【請求項６】
原稿を読み取る画像読取手段と、所定の原稿セット位置における原稿のセット方向を設定する原稿セット方向設定手段と、記録紙を格納する格納手段と、前記格納手段から供給される記録紙上に前記読み取られた原稿の画像を形成する画像形成手段と、前記画像が形成された記録紙に対して穿孔を施す位置を設定する穿孔位置設定手段と、前記穿孔位置設定手段により設定された位置に穿孔を施す後処理手段と、前記原稿セット方向設定手段により設定された前記原稿のセット方向と、前記穿孔位置設定手段により設定された穿孔位置とに基づいて、前記画像読取手段により読み取られた原稿の画像データを回転させる画像回転手段とを有し、前記画像形成手段は、前記回転された前記画像データに基づいて前記記録紙上に画像を形成する画像形成装置であって、
前記後処理手段による穿孔位置に対応する、前記格納手段における記録紙のセット方向をあらかじめ記憶したセット方向記憶手段と、
前記穿孔位置設定手段により設定された前記穿孔位置に対応する、前記記憶された前記記録紙をセットする方向を指示する指示手段と、
を備えることを特徴とする画像形成装置。
【請求項７】
前記指示手段により指示された方向に記録紙がセットされるまで、前記画像形成手段による画像の形成処理を禁止する禁止手段を備えることを特徴とする請求項５又は請求項６に記載の画像形成装置。
【発明の詳細な説明】
【技術分野】
【０００１】
本発明は、記録紙上に画像を形成する画像形成装置に関し、特に、あらかじめ方向付けられたレターヘッド等を記録紙として用いる場合のステープル（綴じ針）処理やパンチ（穿孔）処理等の後処理を好適に行うための技術に関するものである。
【背景技術】
【０００２】
複写機やプリンタ等の画像形成装置において、記録紙に形成する画像の方向を変更できるものが従来から知られている。例えば、特許文献１には、原稿方向と記録紙の方向とが異なる場合に画像データを記録紙の方向に合わせて自動回転するか否かをユーザが選択できるようにし、「自動回転する」側が選択されたときに画像データを回転させて画像形成を実行する構成が開示されている。
【０００３】
また、特許文献２には、記録紙にステープルを打つ位置（ステープル位置）の選択設定に応じて画像データを回転させて、当該記録紙上に画像を形成する構成の画像形成装置が記載されている。
【０００４】
また、特許文献３には、画像の回転に加え、ステープルシフトや画像の拡大／縮小など、記録紙と形成画像との相対的位置関係の設定に対応する出来上がりイメージを表示する機能を有する画像形成装置が開示されている。なお、ステープルシフトとは、画像が形成された記録紙に対する後処理において、ステープルを施すためのスペースを記録紙の端部に確保するように画像の形成位置をシフトさせる処理を意味する。
【０００５】
更に、特許文献４に記載の画像形成装置は、給紙トレイに記録紙をセットする向きを設定でき、そのセットされた方向に基づいて画像の向きを変更（回転）させる機能を有している。
【０００６】
ところで、画像形成装置に使用される記録紙には、例えば会社名等が印刷されているレターヘッドや、パンチ穴が開けられている記録紙など、向きがあらかじめ定められたもの（方向付き記録紙と呼ぶこととする。）がある。この方向付き記録紙を用いる場合、画像の形成方向は、ステープル処理やパンチ処理等の後処理の設定により決定されるので、給紙トレイに記録紙をセットする向きを後処理の設定に応じて調整する必要がある。
【０００７】
しかし、従来の画像形成装置では、記録紙のセット方向が後処理の設定に適合しているか否かを判断できず、所望の位置にステープルを打ったりパンチ穴を形成するための記録紙のセット方向を把握することは困難であったため、思惑とは異なる位置にステープルやパンチが施されたり、思惑とは異なる向きに画像が形成されたりするなどのミスプリントの発生が問題となっていた。
【０００８】
【特許文献１】特開２０００−７８３９４号公報
【特許文献２】特開平１１−２２５２３２号公報
【特許文献３】特開２００２−１００００号公報
【特許文献４】特開２００４−１７７７４１号公報
【発明の開示】
【発明が解決しようとする課題】
【０００９】
本発明は、このような事情に鑑みてなされたもので、方向付き記録紙に対してステープル処理や穿孔処理を施す場合におけるミスプリントの発生を防止することが可能な画像形成装置を提供することを目的とする。
【課題を解決するための手段】
【００１０】
上記目的を達成するために、請求項１に記載の発明は、原稿を読み取る画像読取手段と、所定の原稿セット位置における原稿のセット方向を設定する原稿セット方向設定手段と、記録紙を格納する格納手段と、前記格納手段から供給される記録紙上に前記読み取られた原稿の画像を形成する画像形成手段と、前記画像が形成された記録紙に対してステープルを施す位置を設定するステープル位置設定手段と、前記ステープル位置設定手段により設定された位置にステープルを施す後処理手段と、前記原稿セット方向設定手段により設定された前記原稿のセット方向と、前記ステープル位置設定手段により設定されたステープル位置とに基づいて、前記画像読取手段により読み取られた原稿の画像データを回転させる画像回転手段とを有し、前記画像形成手段は、前記回転された前記画像データに基づいて前記記録紙上に画像を形成する画像形成装置であって、前記格納手段における記録紙のセット方向と前記後処理手段によるステープル位置との組み合わせのうち、許容される組み合わせをあらかじめ記憶した記憶手段と、前記格納手段における記録紙のセット方向を設定する記録紙セット方向設定手段と、前記ステープル位置設定手段により設定されたステープル位置と、前記記録紙セット方向設定手段により設定された記録紙セット方向との組み合わせが、前記記憶手段に記憶された前記許容される組み合わせに該当するか否かを判断する判断手段と、前記判断手段により前記許容される組み合わせに該当しないと判断されたときに、前記画像形成手段による画像の形成処理を禁止する禁止手段と、を備えることを特徴とする。
【００１１】
また、請求項２に記載の発明は、原稿を読み取る画像読取手段と、所定の原稿セット位置における原稿のセット方向を設定する原稿セット方向設定手段と、記録紙を格納する格納手段と、前記格納手段から供給される記録紙上に前記読み取られた原稿の画像を形成する画像形成手段と、前記画像が形成された記録紙に対して穿孔を施す位置を設定する穿孔位置設定手段と、前記穿孔位置設定手段により設定された位置に穿孔を施す後処理手段と、前記原稿セット方向設定手段により設定された前記原稿のセット方向と、前記穿孔位置設定手段により設定された穿孔位置とに基づいて、前記画像読取手段により読み取られた原稿の画像データを回転させる画像回転手段とを有し、前記画像形成手段は、前記回転された前記画像データに基づいて前記記録紙上に画像を形成する画像形成装置であって、前記格納手段における記録紙のセット方向と前記後処理手段による穿孔位置との組み合わせのうち、許容される組み合わせをあらかじめ記憶した記憶手段と、前記格納手段における記録紙のセット方向を設定する記録紙セット方向設定手段と、前記穿孔位置設定手段により設定された穿孔位置と、前記記録紙セット方向設定手段により設定された記録紙セット方向との組み合わせが、前記記憶手段に記憶された前記許容される組み合わせに該当するか否かを判断する判断手段と、前記判断手段により前記許容される組み合わせに該当しないと判断されたときに、前記画像形成手段による画像の形成処理を禁止する禁止手段と、を備えることを特徴とする。
【００１２】
また、請求項３に記載の発明は、請求項１又は請求項２に記載の画像形成装置であって、前記判断手段により前記許容される組み合わせに該当しないと判断されたときに報知を行う報知手段を備えることを特徴とする。
【００１３】
また、請求項４に記載の発明は、請求項３に記載の画像形成装置であって、前記報知手段は、前記判断手段により前記許容される組み合わせに該当しないと判断されたときに、記録紙を前記格納手段にセットする方向を変更するように促すメッセージを表示する表示手段を含むことを特徴とする。
【００１４】
また、請求項５に記載の発明は、原稿を読み取る画像読取手段と、所定の原稿セット位置における原稿のセット方向を設定する原稿セット方向設定手段と、記録紙を格納する格納手段と、前記格納手段から供給される記録紙上に前記読み取られた原稿の画像を形成する画像形成手段と、前記画像が形成された記録紙に対してステープルを施す位置を設定するステープル位置設定手段と、前記ステープル位置設定手段により設定された位置にステープルを施す後処理手段と、前記原稿セット方向設定手段により設定された前記原稿のセット方向と、前記ステープル位置設定手段により設定されたステープル位置とに基づいて、前記画像読取手段により読み取られた原稿の画像データを回転させる画像回転手段とを有し、前記画像形成手段は、前記回転された前記画像データに基づいて前記記録紙上に画像を形成する画像形成装置であって、前記後処理手段によるステープル位置に応じた、前記格納手段における記録紙のセット方向をあらかじめ記憶したセット方向記憶手段と、前記ステープル位置設定手段により設定された前記ステープル位置に対応する、前記記憶された前記記録紙のセット方向を指示する指示手段と、を備えることを特徴とする。
【００１５】
また、請求項６に記載の発明は、原稿を読み取る画像読取手段と、所定の原稿セット位置における原稿のセット方向を設定する原稿セット方向設定手段と、記録紙を格納する格納手段と、前記格納手段から供給される記録紙上に前記読み取られた原稿の画像を形成する画像形成手段と、前記画像が形成された記録紙に対して穿孔を施す位置を設定する穿孔位置設定手段と、前記穿孔位置設定手段により設定された位置に穿孔を施す後処理手段と、前記原稿セット方向設定手段により設定された前記原稿のセット方向と、前記穿孔位置設定手段により設定された穿孔位置とに基づいて、前記画像読取手段により読み取られた原稿の画像データを回転させる画像回転手段とを有し、前記画像形成手段は、前記回転された前記画像データに基づいて前記記録紙上に画像を形成する画像形成装置であって、前記後処理手段による穿孔位置に対応する、前記格納手段における記録紙のセット方向をあらかじめ記憶したセット方向記憶手段と、前記穿孔位置設定手段により設定された前記穿孔位置に対応する、前記記憶された前記記録紙をセットする方向を指示する指示手段と、を備えることを特徴とする。
【００１６】
また、請求項７に記載の発明は、請求項５又は請求項６に記載の画像形成装置であって、前記指示手段により指示された方向に記録紙がセットされるまで、前記画像形成手段による画像の形成処理を禁止する禁止手段を備えることを特徴とする。
【発明の効果】
【００１７】
請求項１に記載の画像形成装置によれば、格納手段における記録紙のセット方向の設定がステープル位置の設定に合わないときに、当該記録紙に対する画像形成処理が禁止されるので、レターヘッド等の方向付き記録紙を用いる場合であっても、思惑とは異なる位置にステープルが施されたり、思惑とは異なる向きの画像が形成されたりするなどのミスプリントを防止することができる。
【００１８】
請求項２に記載の画像形成装置によれば、格納手段における記録紙のセット方向の設定が穿孔位置の設定に合わないときに、当該記録紙に対する画像形成処理が禁止されるので、レターヘッド等の方向付き記録紙を用いる場合であっても、思惑とは異なる位置に穿孔が施されたり、思惑とは異なる向きの画像が形成されたりするなどのミスプリントを防止することができる。
【００１９】
請求項３に記載の画像形成装置によれば、ステープル位置又は穿孔位置に対して適当な方向に記録紙がセットされていないときに報知がなされるので、ユーザは、その不都合の解決に向けて迅速に対処できる。特に、請求項４に記載の画像形成装置によれば、記録紙のセット方向の変更を促すメッセージを表示するようになっているため、ユーザは、画像形成処理が禁止された理由を容易に把握でき、迅速に対処することができる。
【００２０】
請求項５に記載の画像形成装置によれば、ステープル位置の設定がなされると、その設定に応じた記録紙のセット方向を指示するように構成されているので、ユーザは、レターヘッド等の方向付き記録紙を用いる場合であっても、記録紙の適正なセット方向を知ることができる。それにより、ミスプリントの発生を防止できるほか、記録紙のセット方向を容易に補正することができる。
【００２１】
請求項６に記載の画像形成装置によれば、穿孔位置の設定がなされると、その設定に応じた記録紙のセット方向を指示するように構成されているので、ユーザは、レターヘッド等の方向付き記録紙を用いる場合であっても、記録紙の適正なセット方向を知ることができる。それにより、ミスプリントの発生を防止できるほか、記録紙のセット方向を容易に補正することができる。
【００２２】
請求項７に記載の画像形成装置によれば、指示された方向に記録紙がセットされるまで当該記録紙に対する画像形成処理が禁止されるので、ミスプリントの発生を防止することができる。
【発明を実施するための最良の形態】
【００２３】
本発明に係る画像形成装置の好適な実施形態の一例について、図面を参照しながら詳細に説明する。
【００２４】
〔装置構成〕
本発明に係る画像形成装置の実施形態の構成について図１を参照して説明する。この図１は、この発明に係る画像形成装置の概略構成を表す装置断面図である。
【００２５】
同図に示す画像形成装置は、画像形成装置本体ＧＨと後処理装置（フィニッシャ）ＦＳとを含んで構成されている。画像形成装置本体ＧＨは、画像読取部１、画像処理部２、画像書込部３、画像形成部４、給紙トレイ部５、大容量給紙部６、定着処理部７、排紙部８、及び自動両面コピー給紙部９を備えている。
【００２６】
後処理装置ＦＳは、後述のステープル処理や穿孔処理等の後処理を実行するための構成を備えており、本発明の「後処理手段」に相当する。また、給紙トレイ部５と大容量給紙部６は、記録紙ＣＰを格納する本発明の「格納手段」にそれぞれ相当する。給紙トレイ５は、図１の紙面手前側に引き出すことができ、その状態で記録紙ＣＰの補充を行う。一方、大容量給紙部６は、図１の紙面右方向に引き出すことができ、その状態で記録紙ＣＰを補充するようになっている。
【００２７】
画像形成装置本体ＧＨの上部には、自動原稿送り装置ＤＦが搭載されている。画像形成装置本体ＧＨの図示の左側面の排紙部８側には、後処理装置ＦＳが連結されている。
【００２８】
自動原稿送り装置ＤＦの原稿台上に載置された原稿ＧＫは図中の矢印方向に搬送され、画像読取部１の光学系により原稿の片面又は両面の画像が読み取られ、ＣＣＤイメージセンサ１Ａに読み込まれる。また、自動原稿送り装置ＤＦの下側には、原稿を一枚一枚読み取らせるときにその原稿を載置させる原稿ステージＧＳが設けられている。
【００２９】
ＣＣＤイメージセンサ１Ａにより光電変換されたアナログ信号は、画像処理部２において、アナログ処理、Ａ／Ｄ変換、シェーディング補正、画像圧縮処理等が行われた後、画像書込部３に伝送される。
【００３０】
画像書込部３においては、半導体レーザからの出力光が画像形成部４の感光体ドラムに照射され、潜像を形成する。画像形成部４においては、帯電、露光、現像、転写、分離、及びクリーニング等の処理が行われ、給紙トレイ部５又は大容量給紙部６から搬送された記録紙ＣＰに画像が転写される。画像を担持した記録紙ＣＰは、定着処理部７により定着処理が施された後に、排紙ローラ８により後処理装置ＦＳに搬送される。ここで、記録紙ＣＰが搬送路切り替え板８Ａにより自動両面コピー給紙部９に送り込まれた場合には、片面画像処理済みの記録紙ＣＰは再び画像形成部４において両面画像処理がなされてから、後処理装置ＦＳに搬送される。
【００３１】
後処理装置ＦＳには、穿孔手段１０、シフト手段１１、中間スタッカ１２、ステープラ１４が設けられている。穿孔手段１０は、ファイル用の孔（パンチ穴）を記録紙ＣＰにあけるものである。この穿孔手段１０は、画像形成装置本体ＧＨの操作部ＯＰにて設定される設定条件や、ネットワーク等を介して画像形成装置本体ＧＨに接続されているクライアントＰＣ（図示しない）にて設定される設定条件に従って、記録紙ＣＰの縦辺部又は横辺部にパンチ穴をあける。
【００３２】
シフト手段１１は、連続して搬送されてくる記録紙ＣＰを、部ごとに排紙位置を変えて排紙させる処理ユニットであり、何枚ごとにシフトするかは操作部ＯＰや上記のクライアントＰＣで設定される。
【００３３】
ステープラ１４は、中間スタッカ１２に積載された記録紙ＣＰの束を針で綴じる処理を行う。１部として綴じる枚数、ステープルを施す位置（縦辺部、横辺部、角部）、部数等の処理条件は操作部ＯＰや上記のクライアントＰＣで設定される。
【００３４】
さらに後処理装置ＦＳには、上下に移動するように設けられ、後処理装置ＦＳから排出された記録紙ＣＰを蓄積する昇降排紙トレイ２３が備えられている。
【００３５】
後処理装置ＦＳの処理について、処理モードごとに簡単に説明する。なお、処理モードが設定されていない場合、画像形成装置ＧＨで画像が形成された記録紙ＣＰは、搬入部Ａ、共通搬送路Ｂ、そして搬送路Ｃを経て固定排紙トレイ２２に排紙される。ここで、共通搬送路Ｂは、搬入部Ａからローラ３０、穿孔手段１０及びローラ３１を経由して分岐機構３９に至る経路である。また、搬送路Ｃは、分岐機構３９からシフト手段１１及び排紙ローラ３３に至る経路である。
【００３６】
穿孔モードにおいては、後処理装置ＦＳは、搬入部Ａより搬入された記録紙ＣＰに対し穿孔手段１０で穿孔処理を行った後、その記録紙ＣＰを搬送路Ｃ経由で昇降排紙トレイ２３に排紙するか、又は搬送路Ｄ、Ｅ経由で昇降排紙トレイ２３に排紙する。
【００３７】
シフトモードにおいては、搬入部Ａより搬入された記録紙ＣＰを共通搬送路Ｂ経由で搬送路Ｃに送り、シフト手段１１によってシフト処理した後、昇降排紙トレイ２３に排紙する。
【００３８】
ステープルモードにおいては、搬入部Ａより搬入された記録紙ＣＰを共通搬送路Ｂ経由で搬送路Ｄ、搬送路Ｅに送る。記録紙ＣＰは、ストッパＥＡによりその下端が揃えられた状態に保持されて中間スタッカ１２に集積される。ステープラ１４は、集積された記録紙ＣＰの束に対してステープル処理を行う。更に、ステープル処理が完了すると、ストッパＥＡを上方に移動させて記録紙ＣＰの束を押し上げ、排紙ローラ３３により昇降排紙トレイ２３に排紙する。ここで、搬送路Ｄは、分岐機構３９からローラ３４、３５、３６を経由する経路であり、搬送路Ｅは、ローラ３６によって上方に向けて搬送された記録紙が下方に落下してストッパＥＡに保持されるまでの経路である。
【００３９】
〔制御系の構成〕
次に、図１に示した画像形成装置の制御系の構成について、図２を参照しつつ説明する。図２は、この画像形成装置のブロック図である。
【００４０】
画像読取部１には、ＣＣＤイメージセンサ１Ａと、このＣＣＤイメージセンサ１Ａを駆動する制御部１Ｂとが設けられている。この画像読取部１は、本発明の「画像読取手段」を構成する。プリンタ部８０は、本発明の「画像形成手段」に相当するもので、図１に示す画像書込部３及び画像形成部４から構成され、半導体レーザＬＤ８１と、それを駆動する制御部８２とを含んでいる。
【００４１】
画像処理部２は、画像読取部１で読み取られた画像データを処理する制御部２Ａと、その画像データを記憶する画像メモリ２Ｃと、この画像メモリ２Ｃを制御するＤＲＡＭ制御部２Ｂとが設けられている。
【００４２】
制御部６０は、画像読取部１、プリンタ部８０及び操作部７０の動作を制御するものであり、主として、画像制御部６１、読取処理部６５、書込処理部６７、ＤＲＡＭ制御部６２及び画像メモリ６４を有している。
【００４３】
画像制御部６１は、画像読取部１の制御部１Ｂ、画像処理部２の制御部２Ａ、操作部７０の制御部７２、プリンタ部８０の制御部８２、及びＤＲＡＭ制御部６２にそれぞれ接続されており、これら各制御部の動作を制御する。画像制御部６１の詳細な構成や処理内容については、図を改めて後述する（図３参照）。
【００４４】
ＤＲＡＭ制御部６２は、画像制御部６１からの命令により画像メモリ６４から画像データを読み込んだり、画像メモリ６４に画像データを格納したりする。
【００４５】
読取処理部６５は、ＣＣＤイメージセンサ１Ａにより光電変換されたアナログ信号を処理して圧縮部６６に画像データを出力する。圧縮部６６は、読み込まれた画像データを圧縮してＤＲＡＭ制御部６２に出力する。伸長部６８は、圧縮された画像データをＤＲＡＭ制御部６２から受けて画像データを伸長し、書込み処理部６７に出力する。書込み処理部６６は、伸長された画像データを記録紙ＣＰへの書込み用に処理し、プリンタ部８０に出力する。
【００４６】
不揮発性メモリ６３は、画像制御部６１等により実行される各種の制御プログラムや、当該画像形成装置の機能に応じた情報等を記憶している。特に、不揮発性メモリ６３には、本発明に係る機能に応じた情報として、給紙トレイ部５及び大容量給紙部６における記録紙ＣＰのセット方向と、ステープラ１４により記録紙ＣＰにステープルを施す位置（ステープル位置）との組み合わせのうち、許容される組み合わせを表す情報があらかじめ記憶されている。同様に、不揮発性メモリ６３には、給紙トレイ部５及び大容量給紙部６における記録紙のセット方向と、穿孔手段１０により記録紙ＣＰに穿孔を形成する位置（穿孔位置）との組み合わせのうち、許容される組み合わせを表す情報があらかじめ記憶されている（図３参照；詳細は後述する）。不揮発性メモリ６３は、本発明の「記憶手段」に相当するものである。なお、本発明の記憶手段としては、不揮発性の半導体メモリ以外にも、ハードディスクドライブ等の任意の不揮発性記憶装置を適用することができる。
【００４７】
操作部７０は、当該画像形成装置のユーザインターフェイスとして作用するものであり、各種のテキストデータや画像データに基づく画面を表示する表示機能と、ユーザによる情報入力を受け付ける入力機能とを有する。この操作部７０は、例えばタッチパネル方式の液晶ディスプレイ（ＬＣＤ）７１等のフラットパネルディスプレイを含んで構成される。ＬＣＤ７１は、制御部７２に駆動されて各種の画面等を表示する。一方、情報入力処理は、ＬＣＤ７１にソフトキーとして表示されるカーソルキー、数字入力キー、各種機能キーなどをユーザが指し示すことにより行われる。その入力内容は、制御部７２が電気信号として画像制御部６１に伝送する。また、図示は省略するが、操作部７０は、印刷開始ボタンや印刷停止ボタンなどを備えている。
【００４８】
後処理装置ＦＳには、穿孔手段１０、シフト手段１１及びステープラ１４に加えて、これら各手段の動作を制御するＦＳ制御部１６が設けられている。
【００４９】
また、画像処理部２には、通信インターフェイス（Ｉ／Ｆ）２Ｄが設けられ、ＬＡＮなどのネットワークを介してクライアントＰＣ９０が接続されている。ユーザは、前述の操作部７０以外にも、このクライアントＰＣ９０から同様の操作を行うことができる。
【００５０】
（画像制御部及びその周辺部の構成）
画像制御部６１及びその周辺部の詳細構成及びその処理内容について、図３のブロック図を参照して説明する。
【００５１】
まず、操作部７０のタッチパネル方式のＬＣＤ７１には、ステープル位置設定画面７１Ａ、穿孔位置設定画面７２Ｂ、原稿セット方向設定画面２Ｃ及び記録紙セット方向設定画面２Ｄがそれぞれ表示される。操作部７０は、本発明の「ステープル位置設定手段」、「穿孔位置設定手段」、「原稿セット方向設定手段」及び「記録紙セット方向設定手段」に相当するものである。以下、図４〜７を参照して、ＬＣＤ７１に表示されるこれらの画面の構成の一例を説明する。
【００５２】
図４は、ステープル位置設定画面７１Ａの概略構成を表す。このステープル位置設定画面７１Ａには、ステープル位置の選択肢に対応するソフトキーが形成されている。具体的には、ステープルを１カ所に施す場合については、ステープル位置として記録紙ＣＰの左上の角位置を選択するための「左上」キー７１ａと、右上の角位置を選択するための「右上」キー７１ｂとが設けられている。また、ステープルを２カ所に施す場合については、ステープル位置として記録紙ＣＰの左側端を選択するための「左」キー７１ｃと、上端を選択するための「上」キー７１ｄと、右側端を選択するための「右」キー７１ｅとが設けられている。
【００５３】
図５は、穿孔位置設定画面７１Ｂの概略構成を表す。この穿孔位置設定画面７１Ｂには、穿孔位置の選択肢に対応するソフトキーが形成されている。具体的には、穿孔を２カ所に施す場合については、穿孔位置として記録紙ＣＰの左側端を選択するための「左」キー７１ｆと、右側端を選択するための「右」キー７１ｇと、上端を選択するための「上」キー７１ｈとが設けられている。また、穿孔を３カ所に施す場合については、穿孔位置として記録紙ＣＰの左側端を選択するための「左」キー７１ｉと、右側端を選択するための「右」キー７１ｊと、上端を選択するための「上」キー７１ｋとが設けられている。
【００５４】
図６は、原稿セット方向設定画面７１Ｃを含む原稿設定画面７１Ｅの概略構成を表す。この原稿設定画面７１Ｅには、原稿セット方向設定画面７１Ｃに加え、両面とじモードを選択する場合に操作される両面とじ方向設定画面７１ｐと、混載原稿やＺ折れ原稿等の特殊原稿を使用するときに操作される特殊原稿設定画面７１ｑと、原稿サイズを設定するときに操作される原稿サイズ設定画面７１ｕとが設けられている。
【００５５】
原稿セット方向設定画面７１Ｃには、所定の原稿セット位置（図１に示す自動原稿送り装置ＤＦの原稿台又は原稿ステージＧＳ）に載置される原稿ＧＫのセット方向の選択肢に対応するソフトキーが形成されている。具体的には、原稿ＧＫのセット方向として上向き（図１の紙面奥行き方向）を選択するための「上向き」キー７１ｌと、左向き（図１の紙面左方向）を選択するための「左向き」キー７１ｍと、下向き（図１の紙面手前方向）を選択するための「下向き」キー７１ｎと、右向き（図１の紙面右方向）を選択するための「右向き」キー７１ｏとが設けられている。なお、原稿セット方向設定画面７１Ｃの各キーに示す上下左右の方向は、図１において画像形成装置の手前側に位置しているユーザがセットされた原稿を上からのぞき込んだときの視線（下向き）を基準とする方向である（下記の記録紙セット方向設定画面７１Ｄについても同様）。
【００５６】
また、原稿設定画面Ｅには、原稿設定を標準設定（デフォルト設定）に復帰させるための標準復帰キー７１ｓと、入力した設定内容をキャンセルするためのキャンセルキー７１ｔと、入力した設定内容を適用させるためのＯＫキー７１ｕとが設けられている。
【００５７】
図７は、記録紙セット方向設定画面７１Ｄの概略構成を表す。この記録紙セット方向設定画面７１Ｄには、給紙トレイ部５及び大容量給紙部６（格納手段）における記録紙ＣＰのセット方向（「トレイセット方向」と称することがある。）の選択肢に対応するソフトキーが形成されている。具体的には、記録紙ＣＰの上側を給紙トレイ部５等の奥側（図１の紙面奥側）にセットするときに操作される「上を奥」キー７１ｖと、記録紙ＣＰの上側を給紙トレイ部５等の手前側（図１の紙面手前側）にセットするときに操作される「上を手前」キー７１ｗと、記録紙ＣＰの上側を給紙トレイ部５等の右側（図１の紙面右側）にセットするときに操作される「上を右」キー７１ｘと、記録紙ＣＰの上側を給紙トレイ部５等の左側（図１の紙面左側）にセットするときに操作される「上を左」キー７１ｙとに加えて、記録紙ＣＰのセット方向を指定しないときに操作される「指定なし」キー７１ｚが設けられている。
【００５８】
画像処理部２の制御部２Ａは、制御部６０のＤＲＡＭ制御部６２から受けた画像データを回転させる画像回転手段２ａを備えている。画像回転手段２ａは、画像制御部６１の回転角度算出手段６１Ａが算出した角度だけ画像データを回転させる。この回転角度算出手段６１Ａは、操作部７０のＬＣＤ７１にて設定されるステープル位置又は穿孔位置と、原稿ＧＫのセット方向とを参照し、原稿ＧＫの例えば上方向と、ステープル位置等に基づく上方向とが一致する、画像データの回転角度を算出する。
【００５９】
不揮発性メモリ６３には、記録紙セット方向／ステープル位置判断用情報６３Ａと、記録紙セット方向／穿孔位置判断用情報６３Ｂとがあらかじめ記憶されている。以下、これらの情報を簡略に第１の判断用情報６３Ａ、第２の判断用情報６３Ｂと称することがある。
【００６０】
図８は、第１の判断用情報６３Ａの一例を表す。第１の判断用情報６３Ａは、給紙トレイ５等における記録紙ＣＰのセット方向（トレイセット方向）とステープル位置との組み合わせの適否を表す情報である。図８に示す第１の判断用情報６３Ａによれば、（１）ステープル位置が「左上」又は「左」に設定されている場合、トレイセット方向「上を奥」が許容される組み合わせとされ、（２）ステープル位置が「右上」又は「右」に設定されている場合、トレイセット方向「上を手前」が許容される組み合わせとされ、（３）ステープル位置が「上」に設定されている場合、トレイセット方向「上を右」が許容される組み合わせとされている。また、トレイセット方向が「指定なし」の場合には、任意のステープル位置が許容される。
【００６１】
なお、第１の判断用情報６３Ａに示す組み合わせの適否は、記録紙の搬送形態や、中間スタッカ１２に集積された記録紙に対してステープラ１４がステープルを打つ位置など、画像形成装置の構造に依存する、したがって、第１の判断用情報６３Ａは、図８に示すものには限定されず、装置構造に応じて決定される。本実施形態の画像形成装置においては、図１に示すように、給紙トレイ部５に格納された記録紙ＣＰの下側の面に画像が形成されるようになっている。また、給紙トレイ部５格納された記録紙ＣＰは、その図中右側端部から画像形成部４に搬送されるとともに、そのままの向きで共通搬送路Ｂ、Ｄを搬送され、搬送路Ｅに入るときに記録紙ＣＰの向きが逆転されてステープラ１４による処理に供される。更に、ステープラ１４は、中間スタッカ１２に集積された記録紙の束の上側にステープルを打ち込むようになっている。図８に示す第１の判断情報６３Ａは、このような装置構造に基づいて決定されたものである。
【００６２】
図９に、第２の判断用情報６３Ｂの一例を表す。この第２の判断用情報６３Ｂについては、上述の第１の判断用情報６３Ａと同様であるので、詳しい説明は省略するものとする。
【００６３】
画像制御部６１の判断手段６１Ｂは、ステープル位置設定画面７１Ａから設定されたステープル位置と、記録紙セット方向設定画面７１Ｄから設定された記録紙セット方向（トレイセット方向）との組み合わせが、第１の判断用情報６３Ａに示す許容される組み合わせに該当するか否かを判断する。すなわち、判断手段６１Ｂは、ユーザによって設定されたステープル位置とトレイセット方向との組み合わせが、ステープル位置「左上」とトレイセット方向「上を奥」、ステープル位置「左」とトレイセット方向「上を奥」、ステープル位置「右上」とトレイセット方向「上を手前」、ステープル位置「右」とトレイセット方向「上を手前」、あるいは、ステープル位置「上」とトレイセット方向「上を右」であるか否かを判断する。なお、トレイセット方向「指定なし」が設定された場合には、常に「許容される組み合わせ」と判断する。
【００６４】
同様に、判断手段６１Ｂは、穿孔位置設定画面７１Ｂから設定された穿孔位置と、記録紙セット方向設定画面７１Ｄから設定された記録紙セット方向（トレイセット方向）との組み合わせが、第２の判断用情報６３Ｂに示す許容される組み合わせに該当するか否かを判断する。
【００６５】
画像制御部６１のプリント禁止手段６１Ｃは、判断手段６１Ｂが「許容される組み合わせ」に該当しないと判断したときに動作し、プリンタ部８０の制御部８２を制御してＬＤ８１の動作を禁止させる。それにより、記録紙ＣＰに対する画像形成処理がロックされる。このプリント禁止手段６１Ｃは、本発明の「禁止手段」に相当する。
【００６６】
なお、プリント禁止手段６１Ｃによる画像形成禁止処理の一形態として、図２に示すＤＲＡＭ制御部６２を制御して伸張部６８への画像データ送信を禁止したり、書込処理部６７を制御してプリンタ部８０への画像データ送信を禁止するように構成することもできる。プリント禁止手段６１Ｃは、記録紙ＣＰに対する画像形成処理を禁止する任意の処理を実行するものである。
【００６７】
報知制御手段６１Ｄは、判断手段６１Ｂが「許容される組み合わせ」に該当しないと判断したときに動作し、操作部７０に制御信号を送信してＬＣＤ７１に「記録紙のセット方向を変更してください」など、給紙トレイ部５における記録紙ＣＰのセット方向の変更をユーザに促すメッセージを表示させる。
【００６８】
〔処理手順〕
以上のような構成の本実施形態により実現される処理の一例について、図１０及び図１１を参照して説明する。図１０は、ステープル処理を施す場合における本実施形態の処理手順を表すフローチャートである。また、図１１は、当該フローチャートに示す処理の一例を表す説明図である。以下、記録紙ＣＰは、レターヘッドやパンチ穴付きの用紙などの方向付き記録紙であるとする。
【００６９】
なお、方向付きでない記録紙ＣＰを用いる場合には、例えばトレイセット方向を「指定なし」に設定すれば通常の印刷処理が実行される。
【００７０】
まず、ユーザは、所定の操作を行ってＬＣＤ７１にステープル位置設定画面７１Ａを表示させ、ステープル位置を設定する（Ｓ１）。次に、ユーザは、原稿ＧＫをセットするとともに、原稿セット方向設定画面７１Ｃを表示させて原稿セット方向を設定する（Ｓ２）。更に、ユーザは、（必要に応じて）給紙トレイ部５を引き出して（方向付き）記録紙ＣＰをセットするとともに、記録紙セット方向設定画面７１Ｄを表示させてトレイセット方向を設定する（Ｓ３）。なお、ステップＳ１〜Ｓ３の順序は任意である。ステップＳ１〜Ｓ３での設定内容は、画像制御部６１に送信される。
【００７１】
続いて、画像制御部６１の回転角度算出手段６１Ａが、ステップＳ１で設定されたステープル位置と、ステップＳ２で設定された原稿セット方向とに基づいて、画像データの回転角度を算出する（Ｓ４）。ここで、方向付き記録紙を使用しているので、画像データの回転方向は一義的に決定される。
【００７２】
次に、判断手段６１Ｂが、ステップＳ１で設定されたステープル位置と、ステップＳ３で設定されたトレイセット方向との組み合わせが、第１の判断用情報６３Ａに示す許容される組み合わせに該当するか否かを判断する（Ｓ５）。
【００７３】
設定された組み合わせが「許容される組み合わせに該当する」と判断された場合（Ｓ５；Ｙ）、画像制御部６１が、ＬＣＤ７１に「コピーできます」等のメッセージを表示させる（Ｓ６）。そして、操作部７０の印刷開始ボタン（図示せず）の押下等に対応して、記録紙ＣＰに画像を形成し、ステープル処理を施して後処理装置ＦＳから出力する（Ｓ７）。この場合は、以上で処理完了となる。
【００７４】
一方、設定された組み合わせが「許容される組み合わせに該当しない」と判断された場合（Ｓ５；Ｎ）、プリント禁止手段６１Ｃが、プリンタ部８０のＬＤ８１の動作をロックして画像形成処理を禁止する（Ｓ８）。更に、報知制御手段６１Ｄが、操作部７０のＬＣＤ７１に「記録紙のセット方向を変更してください」等のメッセージを表示させる（Ｓ９）。このとき、記録紙セット方向設定画面７１ＤをＬＣＤ７１に自動的に表示させるようにしてもよい。
【００７５】
ユーザが、給紙トレイ部５を開けて記録紙ＣＰのセット方向を変更し、記録紙セット方向設定画面７１Ｄからトレイセット方向を再設定すると（Ｓ１０）、判断手段６１Ｂが、ステップＳ１で設定されたステープル位置と、ステップＳ１０で設定された新たなトレイセット方向との組み合わせが、第１の判断用情報６３Ａに示す許容される組み合わせに該当するか否かを判断する（Ｓ５）。このループは、許容される組み合わせに該当するトレイセット方向が設定されるまで繰り返される（Ｓ５、Ｓ８〜Ｓ１０）。
【００７６】
許容される組み合わせが設定されたと判断されると（Ｓ５；Ｙ）、「コピーできます」等のメッセージがＬＣＤ７１に表示され（Ｓ６）、画像形成処理及びステープル処理が実行され、後処理装置ＦＳから出力される（Ｓ７）。以上で処理完了となる。
【００７７】
（処理の具体例）
図１１を参照して、上述の処理の流れの具体例を説明する。図１１中の〈出力イメージ〉に示すように、ステープル位置は「上」に設定されている（Ｓ１）。また、画像「あいうえお」からなる原稿ＧＫのセット方向は「上向き」に設定されている（Ｓ２）。
【００７８】
記録紙ＣＰには、画像「ＡＡＡ」があらかじめ形成されている。この画像「ＡＡＡ」の向きが記録紙ＣＰの方向を定義している（図１１の紙面上方向が記録紙ＣＰの上方向となる）。
【００７９】
この記録紙ＣＰのトレイセット方向には、４つの選択肢がある。すなわち、（１）「上を奥」：記録紙ＣＰの上方向を給紙トレイの奥側に配置、（２）「上を手前」：記録紙ＣＰの上方向を給紙トレイの手前側に配置、（３）「上を左」：記録紙ＣＰの上方向を給紙トレイの紙面向かって左側に配置、（４）「上を右」：記録紙ＣＰの上方向を給紙トレイの向かって右側に配置、の４つの選択肢である。なお、記録紙ＣＰは、裏向きの状態（画像形成面を下向きにした状態）で給紙トレイ５にセットされる。図１１中、画像「ＡＡＡ」を点線で示すことで、この裏向きの状態を表している。
【００８０】
上記選択肢（１）〜（３）のいずれかが選択され、その選択肢に対応するトレイセット方向が設定されたとする（Ｓ３）。画像データの回転角度は、ステープル位置「上」と原稿セット方向「上向き」であるから、前述した当該画像形成装置の搬送形態等に基づいて「左回りに９０°」とされる（Ｓ４）。また、上記選択肢（１）〜（３）のいずれかが選択されているので、ステープル位置とトレイセット方向との組み合わせは「許容される組み合わせに該当しない」と判断される（Ｓ５；Ｎ）。
【００８１】
一方、上記選択肢（４）に対応するトレイセット方向が設定された場合は（Ｓ３）、ステープル位置「上」とトレイセット方向「上を右」との組み合わせであるから、「許容される組み合わせ」と判断され（Ｓ５；Ｙ）、画像形成処理等に移行でき、〈出力イメージ〉通りの出力結果が得られる。
【００８２】
（穿孔処理を施す場合の処理手順）
穿孔処理を施す場合の処理は、上述のステープル処理の場合と同様であるので、以下に簡単に説明する。図１０のフローチャートのステップＳｎ（ｎ＝１〜１０）に対応する手順を「Ｓｎ′」と表す。
【００８３】
まず、ユーザは、所定の操作を行ってＬＣＤ７１に穿孔位置設定画面７１Ｂを表示させ、穿孔位置を設定し（Ｓ１′）、原稿ＧＫをセットするとともに、原稿セット方向設定画面７１Ｃから原稿セット方向を設定し（Ｓ２′）、給紙トレイ部５を引き出して記録紙ＣＰをセットするとともに、記録紙セット方向設定画面７１Ｄからトレイセット方向を設定する（Ｓ３′）。
【００８４】
回転角度算出手段６１Ａが、ステップＳ１′で設定された穿孔位置と、ステップＳ２′で設定された原稿セット方向とに基づいて、画像データの回転角度を算出する（Ｓ４′）。
【００８５】
次に、判断手段６１Ｂが、ステップＳ１′で設定された穿孔位置と、ステップＳ３′で設定されたトレイセット方向との組み合わせが、第２の判断用情報６３Ｂに示す許容される組み合わせに該当するか否かを判断する（Ｓ５′）。
【００８６】
設定された組み合わせが「許容される組み合わせに該当する」と判断された場合（Ｓ５′；Ｙ）、画像制御部６１が、ＬＣＤ７１に「コピーできます」等のメッセージを表示させる（Ｓ６′）。そして、操作部７０の印刷開始ボタン（図示せず）の押下等に対応して、記録紙ＣＰに画像を形成し、穿孔処理を施して後処理装置ＦＳから出力する（Ｓ７′）。この場合は、以上で処理完了となる。
【００８７】
一方、設定された組み合わせが「許容される組み合わせに該当しない」と判断された場合（Ｓ５′；Ｎ）、プリント禁止手段６１Ｃが、プリンタ部８０のＬＤ８１の動作をロックして画像形成処理を禁止し（Ｓ８′）、報知制御手段６１Ｄが、操作部７０のＬＣＤ７１に「記録紙のセット方向を変更してください」等のメッセージを表示させる（Ｓ９′）。
【００８８】
ユーザが、給紙トレイ部５を開けて記録紙ＣＰのセット方向を変更し、記録紙セット方向設定画面７１Ｄからトレイセット方向を再設定すると（Ｓ１０′）、判断手段６１Ｂが、ステップＳ１′で設定された穿孔位置と、ステップＳ１０′で設定された新たなトレイセット方向との組み合わせが、第２の判断用情報６３Ｂに示す許容される組み合わせに該当するか否かを判断する（Ｓ５′）。このループは、許容される組み合わせに該当するトレイセット方向が設定されるまで繰り返される（Ｓ５′、Ｓ８′〜Ｓ１０′）。
【００８９】
許容される組み合わせが設定されたと判断されると（Ｓ５′；Ｙ）、「コピーできます」等のメッセージがＬＣＤ７１に表示され（Ｓ６′）、画像形成処理及び穿孔処理が実行され、後処理装置ＦＳから出力される（Ｓ７′）。以上で処理完了となる。
【００９０】
〔作用効果〕
以上のような本実施形態の画像形成装置によれば、記録紙ＣＰが方向付き記録紙である場合において、記録紙ＣＰの給紙トレイ部５におけるセット方向（トレイセット方向）がステープル位置や穿孔位置の設定に合わないときには画像出力が禁止され、その設定に適合するときにのみ画像が出力される。それにより、思惑とは異なる位置にステープルや穿孔が施されたり、思惑とは異なる方向に画像が形成されたりするなどのミスプリントの発生が防止される。また、方向付き記録紙に対するステープル処理や穿孔処理等の後処理を適正位置に容易に施すことができる。
【００９１】
また、トレイセット方向が適合しない場合には、記録紙ＣＰのセット方向の変更を促すメッセージが表示されるので、ユーザは、画像出力禁止の理由を容易に把握することができ、その解決に迅速に対処することができる。
【００９２】
〔変形例〕
以上に詳述した構成は、本発明に係る画像形成装置を実施するための具体的態様の一例を開示したものに過ぎないものである。よって、本発明の要旨の範囲内において任意の変形を施すことが可能である。以下、上記実施形態の各種変形例について説明する。
【００９３】
上記実施形態では、ステープル位置（穿孔位置）とトレイセット方向との組み合わせが、第１の判断用情報６３Ａ（第２の判断用情報６３Ｂ）に示す許容される組み合わせに該当しない場合に、画像形成処理を禁止するとともに、記録紙のセット方向の変更を促すメッセージを表示させるようになっているが、ミスプリントの防止、更には記録紙セット方向の補正の容易化を図るために、次のような構成を採用することができる。
【００９４】
ステープル位置が操作部７０から設定されたときに、画像制御部６１が、当該ステープル位置に応じたトレイセット方向を第１の判断用情報６３Ａから取得し、そのトレイセット方向をユーザに指示するように構成する。この指示の方法としては、例えば、当該トレイセット方向をＬＣＤ７１に表示させることができる。ここで、「ステープル位置に応じたトレイセット方向」とは、設定されたステープル位置との組み合わせが「許容される組み合わせ」に該当するトレイセット方向を表す。例えば図８に示す第１の判断用情報６３Ａにおいては、設定されたステープル位置が「左上」又は「左」である場合の「ステープル位置に応じたトレイセット方向」は「上を奥」であり、「右上」又は「右」である場合には「上を手前」であり、「上」である場合には「上を右」である。穿孔位置を用いる場合には、第２の判断用情報６３Ｂを参照して同様の処理を実行できる。
【００９５】
ここで、不揮発性メモリ６３は本発明の「セット方向記憶手段」に相当し、操作部７０は「指示手段」に相当する。
【００９６】
また、この変形例を適用する場合において、トレイセット方向の指示の実行を受けて、プリント禁止手段６１Ｃ（禁止手段）がプリンタ部８０の動作を禁止し、更に、記録紙セット方向設定画面７１Ｄから適当なトレイセット方向が設定されたことに対応して、プリンタ部８０の動作禁止状態を解除するように構成できる。それにより、ミスプリントの発生が効果的に回避される。
【００９７】
上記実施形態の第１、２の判断用情報６３Ａ、６３Ｂは、図８、９に示すように、ステープル位置（穿孔位置）とトレイセット方向との許容される組み合わせ及び許容されない組み合わせの双方を含む情報として不揮発性メモリ６３に記憶されているが、「許容される組み合わせ」のみを記憶するようにしてもよい。
【００９８】
上記実施形態では、原稿ＧＫを記録紙ＣＰにコピーするコピー機能について説明したが、画像データに基づくプリンタ機能についても本発明を適用できる。したがって、本発明に係る画像形成装置は複写機には限定されず、プリンタや複合機をも含むものである。
【００９９】
例えば、図２に示すクライアントＰＣ９０等から画像形成装置に入力される印刷用画像データの方向を設定する手段（画像方向設定手段）を設ける。この画像方向設定手段としては、クライアントＰＣ９０等のユーザインターフェイス（モニタ等の表示デバイス、マウスやキーボード等の入力デバイス）や操作部７０を用いることができる。画像方向設定手段は、例えば、図６に示した原稿セット方向設定画面７１Ｃと同様の画像方向設定画面を表示する。ユーザは、この画像方向設定画面に表示される「上向き」、「左向き」、「下向き」、「右向き」のソフトキーから所望の１つを選択操作することにより、印刷用画像データの方向を設定する。そして、上記実施形態における原稿セット方向の設定情報の代わりに、この画像データ方向の設定情報を用いることで、上記実施形態と同様の処理を実行できる。
【０１００】
上記実施形態では、操作部７０のＬＣＤ７１にメッセージを表示することにより、給紙トレイ部５等における記録紙ＣＰのセット方向の変更を促しているが、その報知方法はこれに限定されるものではない。例えば、画像形成装置に音声出力機能を設けて警告音や警告メッセージを出力するようにしてもよい。また、同様の表示メッセージや音声をクライアントＰＣ９０に出力させて、そのユーザに対して直接に報知を行うように構成することもできる。上記実施形態の操作部７０は、本発明の「報知手段」及び「表示手段」を構成している。また、クライアントＰＣ９０にて報知を行う場合には、このクライアントＰＣ９０が「報知手段」ないしは「表示手段」を構成する。
【図面の簡単な説明】
【０１０１】
【図１】本発明に係る画像形成装置の実施形態の構成の一例を表す概略断面図である。
【図２】本発明に係る画像形成装置の実施形態の制御系の構成の一例を表すブロック図である。
【図３】本発明に係る画像形成装置の実施形態の制御系の構成の一例を表すブロック図である。
【図４】本発明に係る画像形成装置の実施形態が表示するステープル位置設定画面の構成の一例を表す概略図である。
【図５】本発明に係る画像形成装置の実施形態が表示する穿孔位置設定画面の構成の一例を表す概略図である。
【図６】本発明に係る画像形成装置の実施形態が表示する原稿セット方向設定画面の構成の一例を表す概略図である。
【図７】本発明に係る画像形成装置の実施形態が表示する記録紙セット方向設定画面の構成の一例を表す概略図である。
【図８】本発明に係る画像形成装置の実施形態の記録紙セット方向／ステープル位置判断用情報（第１の判断用情報）の一例を表す図である。
【図９】本発明に係る画像形成装置の実施形態の記録紙セット方向／穿孔位置判断用情報（第２の判断用情報）の一例を表す図である。
【図１０】本発明に係る画像形成装置の実施形態が実行する処理の手順の一例を表すフローチャートである。
【図１１】本発明に係る画像形成装置の実施形態が実行する処理の一具体例を表す説明図である。
【符号の説明】
【０１０２】
１  画像読取部
２  画像処理部
２Ａ  制御部
２ａ  画像回転手段
３  画像書込部
４  画像形成部
１０  穿孔手段
１４  ステープラ
６０  制御部
６１  画像制御部
６１Ａ  回転角度算出手段
６１Ｂ  判断手段
６１Ｃ  プリント禁止手段
６１Ｄ  報知処理制御手段
６３  不揮発性メモリ
６３Ａ  記録紙セット方向／ステープル位置判断用情報
６３Ｂ  記録紙セット方向／穿孔位置判断用情報
７０  操作部
７１  ＬＣＤ
７１Ａ  ステープル位置設定画面
７１Ｂ  穿孔位置設定画面
７１Ｃ  原稿セット方向設定画面
７１Ｄ  記録紙セット方向設定画面
８０  プリンタ部
ＧＨ  画像形成装置本体
ＦＳ  後処理装置
【図１】
2006174064.tif 000003
【図２】
2006174064.tif 000004
【図３】
2006174064.tif 000005
【図４】
2006174064.tif 000006
【図５】
2006174064.tif 000007
【図６】
2006174064.tif 000008
【図７】
2006174064.tif 000009
【図８】
2006174064.tif 000010
【図９】
2006174064.tif 000011
【図１０】
2006174064.tif 000012
【図１１】
2006174064.tif 000013